(57)【要約】【課題】伝送フォーマット組合せ識別子の処理およびそれに引き続く多重情報の処理において、無駄な処理の実行を省略することにより装置の低消費電力化を実現する。【解決手段】伝送時間間隔がそれぞれ定められた複数の情報を同一無線フレーム内に多重伝送する際に、前記複数の情報のそれぞれについての当該伝送時間間隔内でのデータ長の組み合わせを示す伝送フォーマット組合せ識別子を各無線フレーム内に挿入して伝送する移動体通信において、受信信号から抽出された伝送フォーマット組合せ識別子の信頼度を判定する。信頼度が高いと判定されたとき、多重情報の分割、分割された各情報のデコードおよび誤り検出の各処理を行い、前記信頼度が低いと判定されたとき、当該無線フレームについて、多重情報の分割、分割された各情報のデコードおよび誤り検出の各処理の実行を中止する。【選択図】  図８
2004320359.tif 000002
【特許請求の範囲】
【請求項１】
伝送時間間隔がそれぞれ定められた複数の情報を同一無線フレーム内に多重伝送する際に、前記複数の情報のそれぞれについての当該伝送時間間隔内でのデータ長の組み合わせを示す伝送フォーマット組合せ識別子を各無線フレーム内に挿入して伝送する移動体通信における伝送フォーマット組合せ識別子および多重情報の受信処理方法であって、
受信信号からの多重情報の分割、分割された各情報のデコードおよび誤り検出の各処理を行うステップと、
前記受信信号から抽出された伝送フォーマット組合せ識別子をデコードするステップと、
このデコード結果の信頼度を判定するステップと、
前記信頼度が低いと判定されたとき、当該無線フレームについて、多重情報の分割、分割された各情報のデコードおよび誤り検出の各処理の実行を中止するステップと、
を備えたことを特徴とする受信処理方法。
【請求項２】
伝送時間間隔がそれぞれ定められた複数の情報を同一無線フレーム内に多重伝送する際に、前記複数の情報のそれぞれについての当該伝送時間間隔内でのデータ長の組み合わせを示す伝送フォーマット組合せ識別子を各無線フレーム内に挿入して伝送する移動体通信における伝送フォーマット組合せ識別子および多重情報の受信処理を行う受信装置であって、
前記複数の情報および前記伝送フォーマット組合せ識別子を含む信号を受信する受信手段と、
前記受信信号から抽出された伝送フォーマット組合せ識別子をデコードするデコード手段と、
このデコード手段により得られた伝送フォーマット組合せ識別子の信頼度を判定する判定手段と、
多重情報の分割、分割された各情報のデコードおよび誤り検出の各処理を行う処理手段と、
前記信頼度が低いと判定されたとき、当該無線フレームについて、多重情報の分割、分割された各情報のデコードおよび誤り検出の各処理の実行を中止する制御手段と、
を備えたことを特徴とする受信装置。
【請求項３】
前記判定手段は前記得られた伝送フォーマット組合せ識別子と複数のその候補値との相関の度合いを求める相関値判定手段を有し、この相関値判定手段は少なくとも２つの候補値の相関値が特定の条件を満足するとき、前記デコード結果の信頼度が高いと判断し、前記特定の条件を満足しないとき当該信頼度が低いと判断することを特徴とする請求項２記載の受信装置。
【請求項４】
前記特定の条件は、（１）前記伝送フォーマット組合せ識別子の複数の候補値の相関値の絶対値の最大値と２番目に大きい値、（２）前記伝送フォーマット組合せ識別子の複数の候補値の相関値の絶対値の最大値と、最大値以外の相関値の値、（３）前記伝送フォーマット組合せ識別子の複数の候補値の相関値の絶対値の最大値と、この最大値を含めた他の相関値の値、（４）前記伝送フォーマット組合せ識別子の複数の候補値の相関値の分散または標準偏差、のいずれかに基づいて判断することを特徴とする請求項３記載の受信装置。
【請求項５】
無線通信を行う受信装置および送信装置、送受信データの処理を行うデータ処理部、音声の入出力を行う音声入出力手段、データの入出力を行うデータ入出力手段を備えた端末装置であって、
前記受信装置は、
伝送時間間隔がそれぞれ定められた複数の情報を同一無線フレーム内に多重伝送する際に、前記複数の情報のそれぞれについての当該伝送時間間隔内でのデータ長の組み合わせを示す伝送フォーマット組合せ識別子を各無線フレーム内に挿入して伝送する移動体通信における伝送フォーマット組合せ識別子および多重情報の受信処理を行う受信装置であり、
前記複数の情報および前記伝送フォーマット組合せ識別子を含む信号を受信する受信手段と、
前記受信信号から抽出された前記伝送フォーマット組合せ識別子の信頼度を判定する判定手段と、
多重情報の分割、分割された各情報のデコードおよび誤り検出の各処理を行う処理手段と、
前記信頼度が低いと判定されたとき、当該無線フレームについて、多重情報の分割、分割された各情報のデコードおよび誤り検出の各処理の実行を中止する制御手段と、
を備えたことを特徴とする端末装置。
【発明の詳細な説明】
【０００１】
【発明の属する技術分野】
本発明は、複数の情報が同一無線フレーム内に多重伝送され、各情報のデータ長の組み合わせを示す伝送フォーマット組合せ識別子（ＴＦＣＩ：Ｔｒａｎｓｐｏｒｔ  Ｆｏｒｍａｔ  Ｃｏｍｂｉｎａｔｉｏｎ  Ｉｎｄｉｃａｔｏｒ）を無線フレーム内に挿入して伝送する移動体通信における、ＴＦＣＩおよび多重情報の処理に関連した受信処理方法、受信装置および端末装置に関する。
【０００２】
【従来の技術】
近年の移動体通信分野では、音声やパケットなどのサービス品質（ＱｏＳ：  Ｑｕａｌｉｔｙ  ｏｆ  Ｓｅｒｖｉｃｅ）の異なる情報を、同一無線フレーム内にマルチプレックス（多重）し、無線回線で伝送する方式がある。このような方式の一つとして３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されているＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式がある。
【０００３】
図１は、Ｗ−ＣＤＭＡ方式において情報多重された状態の一例を示すものである。無線フレームは、１０ｍｓｅｃ（ミリ秒）とされ、図１のように、各無線フレームに複数個の情報が多重可能である。
【０００４】
ここで、Ｗ−ＣＤＭＡ方式においては、多重される複数の情報のそれぞれについて、デコードが可能な最短データ時間長である伝送時間間隔（ＴＴＩ：Ｔｒａｎｓｍｉｓｓｉｏｎ  Ｔｉｍｅ  Ｉｎｔｅｒｖａｌ）は、予め定められている４種類の中から選択して設定可能である。これらの設定可能な４種類のＴＴＩは、１０ｍｓｅｃ，２０ｍｓｅｃ，４０ｍｓｅｃ，８０ｍｓｅｃである。図１の例では、情報ＡのＴＴＩは１０ｍｓｅｃであり、情報ＢのＴＴＩは２０ｍｓｅｃであり、情報ＣのＴＴＩは１０ｍｓｅｃの場合である。
【０００５】
各情報のＴＴＩ内におけるデータ数（以下、ＴＴＩ内におけるデータ数をＴＴＩ内データ長という）は、それぞれ任意に設定可能である。
【０００６】
Ｗ−ＣＤＭＡ方式においては、このようにＴＴＩ内データ長が異なる情報を多重して伝送するので、それらの多重情報のそれぞれについてのＴＴＩ内データ長の情報を、受信側に伝達する必要がある。そこで、Ｗ−ＣＤＭＡ方式では、多重する複数の情報のＴＴＩ内データ長の組合せを示す情報として、伝送フォーマット組合せ識別子（ＴＦＣＩ）を、図２に示すように、各種の物理チャンネルの無線フレームに挿入して伝送している。図２（ａ）はダウンリンクＤＰＣＨ（Ｄｅｄｉｃａｔｅｄ  Ｐｈｙｓｉｃａｌ  ＣＨａｎｎｅｌ）、図２（ｂ）はセカンダリＣＣＰＣＨ（Ｃｏｍｍｏｎ  Ｃｏｎｔｒｏｌ  Ｐｈｙｓｉｃａｌ  ＣＨａｎｎｅｌ）、図２（ｃ）はアップリンクＤＰＤＣＨ（Ｄｅｄｉｃａｔｅｄ  Ｐｈｙｓｉｃａｌ  Ｄａｔａ  ＣＨａｎｎｅｌ）／ＤＰＣＣＨ（Ｄｅｄｉｃａｔｅｄ  Ｐｈｙｓｉｃａｌ  Ｃｏｎｔｒｏｌ  ＣＨａｎｎｅｌ）、図２（ｄ）はランダムアクセスメッセージ部無線フレームの各構造を示している。これらはＷ−ＣＤＭＡ方式において定められた既知の構造なのでその細部については詳述しない。いずれの無線フレームにおいても、その１フレームは、１５個のスロットにより構成され、各スロットに多重情報（ｄａｔａ）とＴＦＣＩが挿入されている。
【０００７】
ＴＦＣＩにおいては、各情報のＴＴＩ内データ長は、データ長そのものではなく、各情報の伝送フォーマットＴＦ（Ｔｒａｎｓｐｏｒｔ  Ｆｏｒｍａｔ）の値（通常は、伝送フォーマットの番号）により示される。多重される複数の情報の伝送フォーマットの値の組合せに対して、ＴＦＣＩの値が定められる。図３に、例えば、ＱｏＳの果なる２つの情報（情報１と情報２）がマルチプレックスされている場合の、それぞれの情報のＴＴＩ内データ長を示す伝送フォーマットＴＦの値と、ＴＦＣＩ値とを対応づけたマッピングテーブル３００の例を示す。ＴＦ１，ＴＦ２は、それぞれ、情報１、情報２のＴＦ値である。ここでは、ＴＦ１は、情報１が０から６３までの６４種のＴＴＩ内データ長を持つことを示しており、ＴＦ２は、情報２が０から３までの４種のＴＴＩ内データ長を持つことを示している。
【０００８】
各情報の伝送フォーマットの値ＴＦ１，ＴＦ２が、どのようなＴＴＩ内データ長であるかは、制御チャンネルにより、図３のマッピングテーブル３００と共に別途、受信側に知らされる。図４に、各情報のＴＦ値と、ＴＴＩ内データ長との対応テーブル４０１，４０２の例を、情報１、情報２の伝送フォーマットの値ＴＦ１，ＴＦ２と、ＴＴＩ内データ長の場合として、示す。なお、マッピングテーブル３００および対応テーブル４０１，４０２に関して、情報の個数が２の場合を示したが、これに限るものではなく、３以上であってもよい。
【０００９】
以上のことから、Ｗ−ＣＤＭＡ方式の受信側では、受信データからＴＦＣＩを抽出し、その抽出したＴＦＣＩを、ＴＦＣＩデコーダによりデコードして、ＴＦＣＩ値を得れば、制御チャンネルにより事前に取得しているＴＦＣＩとＴＦ値との対応を示すマッピングテーブル３００に基づいて、各情報のＴＦ値を算出することができる。さらに、各情報のＴＦ値とＴＴＩ内データ長との対応を示す対応テーブル４０１，４０２に基づいて、算出した各情報のＴＦ値に対応するＴＴＩ内データ長を算出することができる。これにより、受信した多重情報を、個別の情報（上記例では情報１と情報２）に分割し、それぞれのデータデコードが可能となる。
【００１０】
Ｗ−ＣＤＭＡ方式においでは、ＴＦＣＩは１０ビットの情報とされており、多重する複数の情報について、１０２４通りのＴＦ値の組合せを示すことができる。なお、多重する複数の情報についてのＴＦ値の組合せの数を１０ビット未満で表わすことが可能な場合には、ＴＦＣＩは、ＭＳＢ（Ｍｏｓｔ  Ｓｉｇｎｉｆｉｃａｎｔ  Ｂｉｔ：最上位ビット）側に「０」を挿入して１０ビットにする。
【００１１】
ＴＦＣＩは、誤り訂正のために送信側でエンコードされるようになされているが、３ＧＰＰ規格におけるＴＦＣＩビットのエンコード方法は以下のようになっている。
【００１２】
エンコーダに入力されるＴＦＣＩの１０ビットの情報ビットを、ａ９，ａ８，ａ７，ａ６，ａ５，ａ４，ａ３，ａ２，ａ１，ａ０（ここで、ａ９はＭＳＢ、ａ０はＬＳＢ（Ｌｅａｓｔ  Ｓｉｇｎｉｆｉｃａｎｔ  Ｂｉｔ：最下位ビット））とすると、エンコーダの出力のコードワードｂｉ（ｉ＝０，…，３１）は、図５の式（１）で求められる。ここで、式（１）のＭｉ，ｎは、図６のマトリクステーブル６００で与えられる係数である。
【００１３】
３ＧＰＰ規格においては、図２に示した１無線フレーム内に与えられるＴＦＣＩのフィールドは３０ビットとされており、コードワードｂｉの３２ビットの内、ｂ３０，ｂ３１を削除（すなわちパンクチャー（ｐｕｎｃｔｕｒｅ）処理）して、３０ビットにした後に、図２に示した無線フレームのＴＦＣＩフィールドに挿入する。その後、図２に示した無線フレームのデータをＱＰＳＫ変調し、さらにスペクトラム拡散変調して伝送する。
【００１４】
以上のような無線フレームのデータは、基地局あるいは移動局（移動端末）において受信され、まず、ＴＦＣＩコードワードが、ＴＦＣＩフィールドから抽出され、後述するようにデコードされる。デコード結果のＴＦＣＩの値から、事前に制御チャンネルにより送られてきている前記テーブル３００，４０１，４０２（図３および図４）を参照することにより、多重されている複数の情報のそれぞれについてのＴＴＩデータ長を検出し、その検出結果に基づき、多重されている複数の情報のそれぞれを分離して、デコードする。
【００１５】
【発明が解決しようとする課題】
上述したように、多重されている複数の情報のそれぞれを分離して、デコードするには、ＴＦＣＩ値を正しく求める必要があるが、劣悪な通信環境においては、このＴＦＣＩ値は誤りである可能性がある。その場合、それ以降の当該ＴＦＣＩ値を利用した多重情報の分割および分割された各情報のデコード処理は無駄な処理となる。特に、バッテリ駆動の携帯端末装置等では無駄な処理によりバッテリ容量を低減させることになる。
【００１６】
本発明は以上のような問題にかんがみてなされたものであり、その目的は、伝送フォーマット組合せ識別子の処理およびそれに引き続く多重情報の処理において、無駄な処理の実行を省略することにより装置の低消費電力化を実現することができる受信処理方法、受信装置および端末装置を目的とするものである。
【００１７】
【課題を解決するための手段】
本発明による受信処理方法は、伝送時間間隔がそれぞれ定められた複数の情報を同一無線フレーム内に多重伝送する際に、前記複数の情報のそれぞれについての当該伝送時間間隔内でのデータ長の組み合わせを示す伝送フォーマット組合せ識別子を各無線フレーム内に挿入して伝送する移動体通信における伝送フォーマット組合せ識別子および多重情報の受信処理方法である。この方法において、受信信号からの多重情報の分割、分割された各情報のデコードおよび誤り検出の各処理を行うステップと、前記受信信号から抽出された伝送フォーマット組合せ識別子をデコードするステップと、このデコード結果の信頼度を判定するステップと、前記信頼度が低いと判定されたとき、当該無線フレームについて、多重情報の分割、分割された各情報のデコードおよび誤り検出の各処理の実行を中止するステップとを備える。
【００１８】
伝送フォーマット組合せ識別子の値を求めた段階で、その値の信頼度がわかれば、その信頼度に応じて多重情報の分割および分割された各情報のデコード処理を行うべきかどうかが判断できる。信頼度が低いと判定されれば、当該無線フレームについて、多重情報の分割、分割された各情報のデコードおよび誤り検出の各処理の実行を中止することにより、無駄な処理の実行を省略する。これにより、装置の消費電力が低減される。
【００１９】
本発明による受信装置は、伝送時間間隔がそれぞれ定められた複数の情報を同一無線フレーム内に多重伝送する際に、前記複数の情報のそれぞれについての当該伝送時間間隔内でのデータ長の組み合わせを示す伝送フォーマット組合せ識別子を各無線フレーム内に挿入して伝送する移動体通信における伝送フォーマット組合せ識別子および多重情報の受信処理を行う受信装置である。この受信装置は、前記複数の情報および前記伝送フォーマット組合せ識別子を含む信号を受信する受信手段と、前記受信信号から抽出された伝送フォーマット組合せ識別子をデコードするデコード手段と、このデコード手段により得られた伝送フォーマット組合せ識別子の信頼度を判定する判定手段と、多重情報の分割、分割された各情報のデコードおよび誤り検出の各処理を行う処理手段と、前記信頼度が低いと判定されたとき、当該無線フレームについて、多重情報の分割、分割された各情報のデコードおよび誤り検出の各処理の実行を中止する制御手段とを備える。
【００２０】
デコード手段により得られた伝送フォーマット組合せ識別子の信頼度が低いと判定手段が判定したとき、制御手段は、当該無線フレームについて、多重情報の分割、分割された各情報のデコードおよび誤り検出の各処理の実行を中止する。その結果、無駄な処理の実行が省略され、これにより、装置の消費電力が低減される。
【００２１】
前記判定手段は、例えば、前記得られた伝送フォーマット組合せ識別子と複数のその候補値との相関の度合いを求める相関値判定手段を有し、この相関値判定手段は少なくとも２つの候補値の相関値が特定の条件を満足するとき、前記デコード結果の信頼度が高いと判断し、前記特定の条件を満足しないとき当該信頼度が低いと判断する。通常、ノイズの少ない通信環境では、前記創刊値の最大値とそれ以外の値の差（または比）は大きくなり、ノイズの多い環境の場合は逆に差（または比）が小さくなる。
【００２２】
よって、前記特定の条件は、（１）前記伝送フォーマット組合せ識別子の複数の候補値の相関値の絶対値の最大値と２番目に大きい値、（２）前記伝送フォーマット組合せ識別子の複数の候補値の相関値の絶対値の最大値と、最大値以外の相関値の値、（３）前記伝送フォーマット組合せ識別子の複数の候補値の相関値の絶対値の最大値と、この最大値を含めた他の相関値の値、（４）前記伝送フォーマット組合せ識別子の複数の候補値の相関値の分散または標準偏差、のいずれかに基づいて判断することが可能である。
【００２３】
本発明による受信装置は、端末装置の構成要素として用いることができる。
【００２４】
【発明の実施の形態】
以下、本発明の実施の形態について、図面を参照して詳細に説明する。
【００２５】
図７に、本発明による受信装置が用いられる移動局としての無線通信端末の構成例を示す。基地局からの信号は、アンテナ１１１から共用器１１２を経てＲＦ受信部１１３、復調部１１４および復号部１１５で示される各受信ブロックで処理され、データ処理部１１６に渡される。データ処理部１１６は、この端末で必要な各種のデータ処理を行う。データ処理部１１６と接続されたユーザーインターフェイス部１１７は、操作キーを含む入力部１１８ａ、および、ディスプレイデバイスを含む表示部１１８ｂに接続され、ユーザとのインターフェイスを司る。受信される音声信号は音声処理部１２２で処理され、スピーカ１２４から音声として出力される。マイク１２３から入力される音声は音声処理部１２２で処理され、符号部１２１へ音声信号として入力される。ユーザインターフェイス処理部１１７、入力部１１８ａおよび出力部１１８ｂは本発明におけるデータ入出力手段を構成し、音声処理部１２２、マイク１２３およびスピーカ１２４は音声入出力手段を構成している。基地局への信号は、符号部１２１、変調部１２０およびＲＦ送信部１１９で示される各送信ブロックで処理され、共用器１１２およびアンテナ１１１を介して発信される。
【００２６】
なお、基地局の構成は、一部不要な要素もあるが、基本的には移動局（無線通信端末）の構成と同じであり、図示省略する。
【００２７】
図８は本実施の形態における受信装置の構成を示す図である。この受信装置は、図７の復号部１１５の一部に相当する。この装置は、受信信号から多重情報とＴＦＣＩとを分離する多重情報／ＴＦＣＩ分離部２１と、この多重情報／ＴＦＣＩ分離部２１からの多重情報を受けて、多重情報の分割および分割された各情報のデコード処理を行なうデータデコード部２２と、多重情報／ＴＦＣＩ分離部２１からのＴＦＣＩを受けて、当該ＴＦＣＩのデコードを行なうＴＦＣＩデコード部２５と、データデコード部２２でデコードされた情報についての誤り検出を行なう誤り検出部２３と、周辺各機能を制御する制御部２４とから構成される。
【００２８】
多重情報／ＴＦＣＩ分離部２１は、スペクトラム逆拡散後の受信信号から、制御部２４からの情報（伝送データフォーマット）に基づき、受信データを多重情報部分と、ＴＦＣＩの部分とに分け、多重情報部分は、データデコード部２２に供給し、ＴＦＣＩは、ＴＦＣＩデコード部２５に供給する。
【００２９】
データデコード部２２は、制御部２４からの情報（ＴＴＩ内データ長やＴＴＩなど）に基づき、多重情報の分割および分割された各情報のデコードを行なう。そして、データデコード部２２は、デコードした情報を誤り検出部２３に供給する。誤り検出部２３は、データデコード部２２からの情報についての誤り検出を行い、その検出結果を出力する。
【００３０】
制御部２４は、多重情報に先立ち、制御チャンネルを通じて送られてくる制御情報を解析し、伝送データフォーマット、多重されてくる複数の情報のそれぞれの伝送時間間隔、ＴＦＣＩの値と各情報のＴＦ値とのマッピングテーブル３００、各情報についてのＴＦ値とＴＴＩ内データ長との対応テーブル４０１，４０２を検知する。制御部２４は、前記ＴＦＣＩの値と各情報のＴＦ値との対応テーブルからわかるＴＦＣＩがとりうる値の個数（ＴＦＣＳ  ｓｉｚｅ）、および信頼度を判定するための閾値を、ＴＦＣＩデコード部２５に通知しＴＦＣＩのデコードを行わせる。
【００３１】
ＴＦＣＩデコード部２５は、上述したように制御部２４の制御を受けながら、ＴＦＣＩのデコード処理を実行し、信頼度が高い場合にはデコード結果のＴＦＣＩ値を、低い場合には信頼度が低いことを制御部２４に伝える。
【００３２】
制御部２４は、ＴＦＣＩデコード部からのＴＦＣＩ値、および前述のＴＦＣＩの値と各情報のＴＦ値との対応テーブル３００（図３）、各情報についてのＴＦ値とＴＴＩ内データ長との対応テーブル４０１，４０２（図４）から、各情報のＴＴＩ内データ長を求め、この値およびこの値から算出される値をデータデコード部２２に伝え、多重情報の分割および分割された各情報のデコードを行わせる。
【００３３】
ただし、制御部２４は、ＴＦＣＩデコード部２５からＴＦＣＩの信頼度が低いことが通知された場合、データデコード部２２を制御し、多重情報の分割および分割された各情報のデコードを中止させる。また誤り検出部２３を制御し、誤り検出を中止させ、強制的に、誤り判定結果として「誤りがあった」という報告を行わせる。
【００３４】
ＴＦＣＩの信頼度が低いことが通知された場合、多重情報の分割および分割された各情報のデコードを中止させるのは、図９のグラフから分かるように、符号拡散後のＳ／Ｎ比を表すＤＰＣＨ＿Ｅｃ／Ｉｏｃが低く、ＴＦＣＩの誤り率（エラーレート）が大きくなれば、データの復号が正常に行えなくなることが確実なほどデータブロック誤り率も大きくなるからである。なお、このグラフの測定の条件は次のとおりである。
ｃｈａｎｎｅｌ  ｃｏｎｄｉｔｉｏｎ：ｓｔａｔｉｃ
ＴＦＣＳ  ｓｉｚｅ：１６
ＴＦＣＩ  ｂｉｔ／ｆｒａｍｅ：３０
ＴＴＩ：２０ｍｓ
Ｄａｔａ  ｄｅｃｏｄｅ：Ｖｉｔｅｒｂｉ  Ｒ＝１／３
Ｄａｔａ  ｐｕｎｃｔｕｒｅ：１４．７％
ここに、ＴＦＣＳとはＴｒａｎｓｐｏｒｔ  Ｆｏｒｍａｔ  Ｃｏｍｂｉｎａｔｉｏｎ  Ｓｅｔの略であり、ＴＦＣＳ  ｓｉｚｅとはＴＦＣＩがとりうる値の個数である。例えば、ＴＦＣＩが０から１５までの値をとりうる場合には、ＴＦＣＩ  ｓｉｚｅは１６ということになる。
【００３５】
なお、ＴＴＩ：１０ｍｓ、ＴＦＣＳ  ｓｉｚｅ：１０２４のような環境では、ＴＦＣＩ  ｅｒｒｏｒ  ｒａｔｅの特性が劣化し、Ｄａｔａ  ｂｌｏｃｋ  ｅｒｒｏｒと同じような特性にもなり得る。しかし、ＴＦＣＳ  ｓｉｚｅは移動局によって最大値が定義されており、通常、４８や３２など１０２４よりも低い値となるので、図９に示したよりも２つの特定は接近するが、それでも十分な差はある。
【００３６】
ＴＦＣＩデコード部２５の内部構成としては図１０のような構成が考えられる。この構成では、図８の多重情報／ＴＦＣＩ分離部２１で抽出された３０ビットのＴＦＣＩコードワードを、デ・パンクチャー処理部２５１に入力する。デ・パンクチャー処理部２５１では、入力されたＴＦＣＩコードワードの最後に０を２つ挿入することにより３２ビットにする処理を行なう。２ビット分の０を挿入後のＴＦＣＩコードワードを、Ｒｉ（ｉ＝０，１，…，３１）とする。
【００３７】
この３２ビットのＴＦＣＩコードワードＲｉは、マスク解除処理部２５２に供給される。マスク解除処理部２５２では、前述の図６に示したマトリクステーブル６００の係数Ｍｉ，ｎのうちのＭｉ，６〜Ｍｉ，９によるマスク処理に対応するマスク解除処理を行なう。すなわち、係数Ｍｉ，ｎのうちのＭｉ，６〜Ｍｉ，９はマスクコードであり、マスク解除処理部２５２にて、このマスクコードＭｉ，６〜Ｍｉ，９によるマスクを外す処理を行なう。具体的には以下の▲１▼、▲２▼の手順で処理を行う。
【００３８】
▲１▼マスクコードＭｉ，６〜Ｍｉ，９に対応するＴＦＣＩの上位４ビット（ａ９，ａ８，ａ７，ａ６）の候補となり得る値を選ぶ。例えば、ＴＦＣＩが０から２５５の値を取り得る場合、このＴＦＣＩの値は、８ビットで表現可能であるから、１０ビットのＴＦＣＩの最上位から２ビットａ９，ａ８は「０」となっている。また、この場合、ａ７，ａ６は、「０」か「１」を取り得るので４通りのパターンがある。
【００３９】
▲２▼図５に示す式（２）の計算をし、その計算結果の値ＥＸ＝「１」ならＲｉを正負反転し、ＥＸ＝「０」ならＲｉはそのままとする。これをｉ＝０，１，…，３１の全てについて行なう。
【００４０】
次に、マスク解除処理部２５２でマスクが外されたデータに対し、ファースト・アダマール変換部２５３にて、ファースト・アダマール変換（ＦＨＴ：Ｆａｓｔ  Ｈａｄａｍａｒｄ  Ｔｒａｎｓｆｏｒｍ）を行い、相関値を求める。ファースト・アダマール変換は、マスクを外したデータとアダマール行列との掛け算を効率的に行なう計算法である。
【００４１】
上記▲１▼および▲２▼の２つの処理を、ＴＦＣＩの上位４ビット（ａ９，ａ８，ａ７，ａ６）の候補として、あり得る全てのパターンで行なう。前述のＴＦＣＩが０から２５５の値を取り得る図３の例であれば、ビットａ９，ａ８，ａ７，ａ６の候補としては、前述したように４通りのパターンを取り得るので、マスク解除処理とファースト・アダマール変換処理を、合計４回繰り返す。また、ＴＦＣＩの値が５１２以上であって、１０ビットすべてを用いるのであれば、ビットａ９，ａ８，ａ７，ａ６の候補としては１６通りのパターンを取り得るので、マスク解除処理とファースト・アダマール変換処理を、合計１６回繰り返す。
【００４２】
マスク解除処理とファースト・アダマール変換処理の、前述した複数回の処理結果の全ては、相関値判定部２５４に供給される。この相関値判定部２５４では、前述の複数回のファースト・アダマール変換部２５３の出力であるすべての相関値の絶対値を比較し、その最大値を検出することで、送信されたＴＦＣＩ値を求める。（但し、前述したように、このようにして求められたＴＦＣＩ値を利用するには、その値が信頼度の高いものであることを要する。）
【００４３】
こうして求められたＴＦＣＩ値に基づいて、前述したように、事前に制御チャンネルによって送られてきていた図３に示したようなマッピングテーブル３００および図４に示したテーブル４０１，４０２が参照される。その結果、多重されている情報のＴＴＩ内データ長が判り、多重情報をそれぞれの情報に分割し、デコードすることが可能となる。
【００４４】
なお、制御部２４からのＴＦＣＩがとりうる値の個数（ＴＦＣＳ  ｓｉｚｅ）の情報により、マスク解除処理部２５２とＦＨＴ部２５３の繰り返し回数が決まる。
【００４５】
図１０の各処理部は、それぞれを独立したハードウェア構成とすることもできるし、また、図１０の処理構成の一部またはすべてを、ソフトウェアにより構成することもできる。
【００４６】
また制御部２４からの閾値情報は、前述のように、相関値判定部２５４で信頼度を判定するために使用される。その判定の方法としては種々のものが考えられる。例えば相関値の絶対値の最大値と２番目に大きい値を比較して信頼度を判定することができる。この場合、２番目に大きい値が最大値の７５％を超えたら信頼度が低いなどと判断する。相関値の絶対値の最大値と、最大値以外の相関値の値（例えば平均値）を比較することもできる。この場合も同様に、平均値が最大値の５０％を超えたら信頼度が低いなどと判断する。相関値の絶対値の最大値と、この最大値を含めた他の相関値の値（例えば平均値）を比較することにより信頼度の判定を行うことも可能である。さらには、すべてのＴＦＣＩについての相関値の分散や標準偏差（分散の正の平方根）を用いて信頼度の判定を行うことも可能である。これらの方法以外にも、特定のＴＦＣＩ値の相関値の絶対値が他のＴＦＣＩ値の相関値の絶対値より所定の程度以上に大きいことを確認することができる方法であれば、任意の方法を用いることができる。
【００４７】
図１１に、ＴＦＣＩの相関値の例をグラフで示す。図の横軸はＴＦＣＩ値、縦軸は相関値を示している。この例ではＴＦＣＩの真値は４である。この図から分かるように、符号拡散後のＳ／Ｎ比を表すＤＰＣＨ＿Ｅｃ／Ｉｏｃが小さいほど、ＴＦＣＩの真値の相関値が低下していることが分かる。真値以外のＴＦＣＩ値については、ＤＰＣＨ＿Ｅｃ／Ｉｏｃが変化してもその相関値はあまり変わらないことが分かる。したがって、ＴＦＣＩデコード部２５で得られたＴＦＣＩ値（デコード結果）の信頼度を判断するには上記のような手法を用いることができる。
【００４８】
次に、図８の動作を、図１２のフローチャートを参照しながら説明する。
【００４９】
まず、制御チャンネルを通じて送られてくる制御情報を受信する（Ｓ１０１）。受信した制御情報の中には、伝送データフォーマット、ＴＦＣＩと複数の情報のＴＦ値とのマッピングテーブル３００の情報（図３）、複数の情報のそれぞれのＴＦ値とＴＴＩ内データ長とのマッピングテーブル４０１，４０２の情報（図４）、および複数の情報のそれぞれの伝送時間間隔が含まれる。
【００５０】
次に、多重情報およびＴＦＣＩを受信する（Ｓ１０２）。ＴＦＣＩデコード部２５は、制御部２４からのＴＦＣＩがとりうる値の個数（ＴＦＣＳ  ｓｉｚｅ）の情報を利用して、ＴＦＣＩデコードを行い各ＴＦＣＩ値での相関値を求める（Ｓ１０３）。
【００５１】
次に、ＴＦＣＩデコード部２５は、制御部２４からの閾値を利用して前述したようにＴＦＣＩの信頼度を判定する（Ｓ１０４）。
【００５２】
ステップＳ１０４にて信頼度が高いと判定された場合、ＴＦＣＩデコード部２５は、制御部２４に相関値の絶対値が最大となったＴＦＣＩ値を報告する（Ｓ１０５）。次に制御部２４はＴＦＣＩ値、およびＴＦＣＩ値と各情報のＴＦ値との対応テーブル３００、各情報についてのＴＦ値とＴＴＩ内データ長との対応テーブル４０１，４０２から、終端した情報のＴＴＩ内データ長を求め、この値からデータデコード部２２で必要なパラメータを算出する（Ｓ１０６）。ここで、「終端した」とは、各情報について、その伝送時間間隔の最後のデータまでのすべてが受信された状態を指す。
【００５３】
次に制御部２４は求めたパラメータをデータデコード部２２に渡し、多重情報の分割および分割された情報のうち終端した情報をデコードする（Ｓ１０７）。次に、誤り検出部２３でデコードした結果の情報について誤り検出を行う（Ｓ１０８）。
【００５４】
ステップＳ１０４にて信頼度が低いと判定された場合、ＴＦＣＩデコード部２５は、制御部２４にＴＦＣＩの信頼度が低いことを報告する（Ｓ１０９）。これに応じて、制御部２４はデータデコード部２２を制御し、多重情報の分割および分割された各情報のデコードを中止させ（Ｓ１１０）、また誤り検出部２３を制御し、誤り検出を中止させ、誤り判定結果として「誤りがあった」という報告を行わせる（Ｓ１１１）。これによって、その後の当該無線フレームについての処理は中止される（処理を続行しても正しいデータは得られない可能性が高い。）。このような正常に受信されない無線フレームに対しては従来の方法により対処可能である。例えば、パケット通信の場合には当該パケットについての再送要求等により、音声通信であればコンフォーマットノイズの出力等によって、対処が可能である。
【００５５】
ステップＳ１０８またはステップＳ１１１の後には、ステップＳ１１２に進み、すべてのデータの受信が完了しているか否かの判別を行い、すべてのデータの受信が完了しているときには、この処理ルーチンを終了し、また、すべてのデータの受信が完了していないときには、ステップＳ１０２に戻り、次のフレームの処理を行なう。
【００５６】
以上、本発明の好適な実施の形態について説明したが、種々の変形、変更が可能である。例えば、図８において、相関値の判定はＴＦＣＩデコード部２５で行うようにしたが、別の部位（例えば制御部２４）で行ってもよい。
【００５７】
【発明の効果】
本発明によれば、伝送フォーマット組合せ識別子のデコードにおいてデコード結果の信頼度情報を得て、信頼度が低い場合には多重情報の分割および分割された各情報のデコードを中止することにより、装置の低消費電力化が可能となる。これは、特に（但し、限定する意味でなく）、本発明をバッテリ駆動の端末装置に適用したときに効果を発揮する。
【図面の簡単な説明】
【図１】３ＧＰＰ規格のＷ−ＣＤＭＡ方式における多重情報を説明するための図である。
【図２】３ＧＰＰ規格のＷ−ＣＤＭＡ方式におげる伝送データフォーマットを説明するための図である。
【図３】ＴＦＣＩと多重情報のそれぞれのＴＦ値とのマッピングテーブルの例を示す図である。
【図４】多重情報のそれぞれのＴＦ値と、ＴＴＩ内データ長との対応テーブルの例を示す図である。
【図５】３ＧＰＰ規格におけるＴＦＣＩビットのエンコード方法を説明するための図である。
【図６】ＴＦＣＩのエンコードに用いる係数Ｍｉ，ｎを説明するためのマトリクステーブルを示す図である。
【図７】本発明による受信装置が用いられる移動局としての無線通信端末の構成例を示すブロック図である。
【図８】本発明を適用した受信装置の構成例を示すブロック図である。
【図９】ＴＦＣＩおよびデータの誤り率と、Ｓ／Ｎ比との関係を示すグラフである。
【図１０】図８内のＴＦＣＩデコード部の内部の構成例を示す図である。
【図１１】ＴＦＣＩの相関値の例を示すグラフである。
【図１２】実施の形態における受信データの処理を説明するためのフローチャートである。
【符号の説明】
１…デ・パンクチャー処理部、２…マスク解除処理部、３…ファースト・アダマール（ＦＨＴ）変換部、４…相関値判定部、２１…多重情報／ＴＦＣＩ分離部、２２…データデコード部、２３…誤り検出部、２４…制御部、２５…ＴＦＣＩデコード部
【図１】
2004320359.tif 000003
【図２】
2004320359.tif 000004
【図３】
2004320359.tif 000005
【図４】
2004320359.tif 000006
【図５】
2004320359.tif 000007
【図６】
2004320359.tif 000008
【図７】
2004320359.tif 000009
【図８】
2004320359.tif 000010
【図９】
2004320359.tif 000011
【図１０】
2004320359.tif 000012
【図１１】
2004320359.tif 000013
【図１２】
2004320359.tif 000014